(57)【特許請求の範囲】
【請求項１】
ベース部分と、そのベース部分から立設の立ち上り部分とからなる所望の形状のブロックで、内部に鉄筋を有し、該鉄筋に接続し、ベース部分及び立ち上り部分で対向面に突出する継手を持ち、前記所望の形状のブロックは、直線状のブロックと直線部と直線部が交わって形成の特殊形状のブロックとより成り、前記特殊形状のブロックは、コーナブロック、サイドブロック、センターブロック、変形ブロックとより成ると共に、前記継手は、直線状のブロックでは平板を、特殊形状のブロックでは、Ｕ字形状のＵ字板を用い、平板とＵ字板とがボルトとナットにて連結されるようにしブロックの立ち上り部分にある前記平板とＵ字板を当該立ち上り部分の寸法と同じ長さの寸法に形成されるようにし、さらにモルタルにて覆われることを特徴とする布基礎用ブロック。
【発明の詳細な説明】
【０００１】
【発明が属する技術分野】
この発明は、住宅建設の基礎をなす布基礎構築用ブロックに関する。
【０００２】
【従来の技術】
布基礎が木造建築の基礎として用いられ、一般には地面の布基礎構築場所に、割ぐり石を敷設し、板でコンクリート枠体を組み立て、その枠体内に生コンクリートを流し込み、コンクリートが硬化してから基礎上の建築作業にかかっていた。したがって、枠体の組み立てに多大な労力と時間を要し、さらにコンクリートが硬化するまで１〜２週間の養生期間を要していた。
【０００３】
このため、多様なパターンを持つ布基礎を、特開昭５９−１６５７３７号公報に示すように、例えばＬ形ブロック、Ｔ形ブロック、直線ブロックを工場内で生産し、これらのコンクリートブロックを現場で連結して所定の間取りに適した所望のパターンの基礎を構築していた。
【０００４】
【発明が解決しようとする課題】
この技術では、コンクリート枠体を不要とし且つ現場での養生期間を不要とする利点を有するが、ブロック間の連結に問題点を有していた。例えば、ブロックに形成の連結凹部にボルトの一部を埋め込み、他のボルトの一部を隣り合うブロックの連結凹部に埋め込み、その後モルタルを流し込んで連結しているが、その連結構造が内部に配される鉄筋との結合がなく、その連結性が弱かったし、また、この例では、ブロックの内部に鉄筋が入っておらず、強度が不足して、住宅金融公庫等の公的な基準にも合致しないものである。
【０００５】
このため、この発明では、現場でコンクリートを打つことなく、布基礎を所望の形状のブロックで構築するが、ブロック自体に強度を持たせると共に、それぞれのブロック間の連結強度を高めた布基礎用ブロック及び布基礎の構築方法を提供するものである。
【０００６】
【課題を解決するための手段】
この発明に係る布基礎用のブロックは、ベース部分と、そのベース部分から立設の立ち上り部分とからなる所望の形状のブロックで、内部に鉄筋を有し、該鉄筋に接続し、ベース部分及び立ち上り部分で対向面に突出する継手を有し、  ベース部分と、そのベース部分から立設の立ち上り部分とからなる所望の形状のブロックで、内部に鉄筋を有し、該鉄筋に接続し、ベース部分及び立ち上り部分で対向面に突出する継手を持ち、前記所望の形状のブロックは、直線状のブロックと直線部と直線部が交わって形成の特殊形状のブロックとより成り、前記特殊形状のブロックは、コーナブロック、サイドブロック、センターブロック、変形ブロックとより成ると共に、前記継手は、直線状のブロックでは平板を、特殊形状のブロックでは、Ｕ字形状のＵ字板を用い、平板とＵ字板とがボルトとナットにて連結されるようにし、ブロックの立ち上り部分にある前記平板とＵ字板を当該立ち上り部分の寸法と同じ長さの寸法に形成するようにし、さらに該継手は全てのブロックを結合して布基礎を構築した後にモルタルにて覆われることにある。
これにより、ベース部分と立ち上り部分は、埋設の鉄筋にて強度が向上すると共に、この鉄筋に継手が接続されることで、該継手によるブロックの連結の強度も上がり、ブロックを用いた布基礎の構築を可能とするものである。
【０００７】
また、所望の形状のブロックは、直線状のブロックと、特殊形状のブロックの、コーナブロック、サイドブロック、センターブロック、変形ブロックとより成る。即ち、５つのブロックに集約することができ、このブロックを適宜組合せて布基礎を構築することができる。
【０００８】
さらに、継手は、直線状のブロックでは平板を、特殊形状のブロックでは、Ｕ字形状のＵ字板を用い、平板とＵ字板とが、ボルトとナットにて確実に連結される。しかもベース部分と立ち上り部分とにある継手で強固に結合される。そして継手は、全ブロック結合後にモルタルにて覆われ、継手部分を大気と遮断してさびから保護される。
【０００９】
【発明の実施の形態】
以下、この発明の実施例を図面にもとずいて説明する。
【００１０】
図１において、この発明に係る布基礎１が構築された斜視図が示され、直線状のブロック２と、直線部と直線部が交わって形成の特殊形状のブロック３のコーナブロック４、サイドブロック５、センターブロック６及び図示されていない変形ブロック７とより成っている。そして、これらのブロック２，４，５，６及び７は継手により結合されている。
【００１１】
図２乃至図６において、直線状のブロック２が示され、ベース部分２ａとこのベース部分２ａから垂直方向へ立設の立ち上り部２ｂとからなり、前記ベース部分２ａ内には、横方向に鉄筋１０−２ａ′と、それとクロスする長手方向の鉄筋１０−２ａ′′が多数適宜な間隙を有して配されている。また、前記立ち上り部分２ｂ内には、その縦方向に鉄筋１０−２ｂ′と、それとクロスする長手方向に鉄筋１０−２ｂ′′が多数適宜な間隙を有して配されている。
【００１２】
それから、直線状ブロック２の両端である対向面２Ｌ，２Ｒには、継手１２−２ａ，１２−２ｂが突出形成されている。この継手１２−２ａは、前記ベース部分２ａに２つが並設して形成され、同じく継手１２−２ｂは、前記立ち上り部分２ｂで前記継手１２−２ａと同方向に形成されている。両継手１２−２ａ及び１２−２ｂは共に平板状の平板で、前記した鉄筋１０−２ａ′，１０−２ａ′′及び１０−２ｂ′，１０−２ｂ′′にそれぞれ溶接して接続されている。なお、直線状ブロック２の長さの長短があり、それぞれ製造しなければならないか、短いものを複数本を継いで用いても良く、この場合には、直線状ブロック２の種類を多数作る必要はなくなる。
【００１３】
図７乃至図１０特殊ブロック３のコーナブロック４が示され、ベース部分４ａとこのベース部分４ａから垂直方向へ立設の立ち上り部分４ｂとからなり、前記ベース部分４ａは正方形に、前記立ち上り部分４ｂは直線部と直線部とが直角となるＬ字形状のブロックで、前記ベース部分４ａ内には、横方向に配される鉄筋１０−４ａ′とこれにクロスする鉄筋１０−４ａ′′が多数適宜な間隙を有して配されている。また、立ち上り部分４ｂ内には、横方向に伸びる鉄筋１０−４ｂ′とこれにクロスする鉄筋１０−４ｂ′′が多数適宜な間隙を有して配されている。
【００１４】
それから、コーナブロック４の両端の対向面４Ｌ，４Ｒには、継手１２−４ａ，１２−４ｂが突出形成されている。この継手１２−４ａは、前記ベース部分４ａに２つ併設して形成され、同じく継手１２−４ｂは、前記立ち上り部分４ｂで前記継手１２−４ａと同方向に形成されている。この両継手１２−４ａ，１２−４ｂは共に、Ｕ字状に形成のＵ字板で、前記した鉄筋１０−４ａ′，１０−４ａ′′及び１０−４ｂ′，１０−４ｂ′′にそれぞれ溶着して接続されている。
【００１５】
図１１乃至図１３において、特殊ブロック３のサイドブロック５が示され、ベース部分５ａとこのベース部分５ａから垂直方向へ立設の立ち上り部分５ｂとからなり、前記ベース部分５ａは正方形に、前記立ち上り部分５ｂは直線部と直線部がＴ字形状となすＴ字形状のブロックで、前記ベース部分５ａ内には、横方向に伸びる鉄筋１０−５ａ′とこれにクロスする鉄筋１０−５ａ′′が多数適宜な間隙を有して配されている。また、立ち上り部分５ｂ内には、横方向に伸びる鉄筋１０−５ｂ′とこれにクロスする鉄筋１０−５ｂ′′が多数適宜な間隙を有して配されている。
【００１６】
それから、サイドブロック５の３方端の対向面５Ｌ，５Ｍ，５Ｒには、継手１２−５ａ，１２−５ｂが突出形成されている。この継手１２−５ａは、前記ベース部分５ａに２つが併設して形成され、同じく継手１２−５ｂは、前記立ち上り部分５ｂで前記継手１２−５ａと同方向に形成されている。この両継手１２−５ａ，１２−５ｂは共に、Ｕ字状に形成のＵ字板で、前記した鉄筋１０−５ａ′，１０−５ａ′′及び１０−５ｂ′，１０−５ｂ′′にそれぞれ溶着して接続されている。
【００１７】
図１４乃至図１６において、特殊ブロック３のセンターブロック６が示され、ベース部分６ａとこのベース部分６ａから垂直方向へ立設の立ち上り部分６ｂからなり、前記ベース部分６ａは正方形に、前記立ち上り部分６ｂは直線部と直線部がクロスした十字形状のブロックで、前記ベース部分６ａ内には、横方向に伸びる鉄筋１０−６ａ′とこれにクロスする鉄筋１０−６ａ′′が多数適宜な間隙を有して配されている。また立ち上り部分内には、横方向に伸びる鉄筋１０−６ｂ′とこれにクロスする鉄筋１０−６ｂ′′が多数適宜な間隙を有して配されている。
【００１８】
それから、センターブロック６の四方端の対向面６Ｌ，６Ｒ，６Ｕ，６Ｄには、継手１２−６ａ，１２−６ｂが突出形成されている。この継手１２−６ａは、前記ベース部分６ａに２つ並設して形成され、同じく継手１２−６ｂは、前記立ち上り部分６ｂで前記継手１２−６ａと同方向に形成されている。この両継手１２−６ａ，１２−６ｂは共に、Ｕ字状に形成のＵ字板で、前記した鉄筋１０−６ａ′，１０−６ａ′′及び１０−６ｂ′，１０−６ｂ′′にそれぞれ溶着して接続されている。
【００１９】
図１７乃至図１９において、特殊ブロック３の変形ブロック７が示され、ベース部分７ａとこのベース部分７ａから垂直方向へ立設の立ち上り部分７ｂからなり、前記ベース部分７ａは５角形に、前記立ち上り部分７ｂは直線部と直線部が前記した以外の形状としたブロックで、前記ベース部分７ａ内には、横方向に伸びる鉄筋１０−７ａ′とこれにクロスする鉄筋１０−７ａ′′及び斜め方向の鉄筋１０−７ａｂが多数適宜な間隙を有して配されている。また立ち上り部分７ｂ内には、横方向に伸びる鉄筋１０−７ｂ′とこれにクロスする鉄筋１０−７ｂ′′が多数適宜な間隙を有して配されている。
【００２０】
それから、変形ブロック７の３方端の対向面７Ｌ，７Ｍ，７Ｒには、継手１２−７ａ，１２−７ｂが突出形成されている。この継手１２−７ａは、前記ベース部分７ａに２つ併設して形成され、同じく継手１２−７ｂは、前記立ち上り部分７ｂで前記継手１２−７ａと同方向に形成されている。この両継手１２−７ａ，１２−７ｂは共に、Ｕ字状に形成のＵ字板で、前記した鉄筋１０−７ａ′，１０−７ａ′′，１０−７ｂ′，１０−７ｂ′′及び１０−７ａｂにそれぞれ溶着して接続されている。
【００２１】
以上の構成において、上記ブロック２，４，５，６，７を用いて間取り設計に従って布基礎１を構築するには、予め割ぐり石を敷設した上に、直線の部分に直線状のブロック２を配し、その他の部分を特殊形状のブロック３のＬ字形のコーナブロック４、Ｔ字形のサイドブロック５、十字形のセンターブロック６及びそれ以外の形状の変形ブロック７から適宜選択して図２０にように配し、それから継手を接続する。
【００２２】
例えば図２１乃至図２３に示すように、十字形状のセンターブロック６と直線状のブロック２とが接続されるが、一方の平板の継手１２−２ａ，１２−２ｂとＵ字板の継手１２−６ａ，１２−６ｂとがボルト１５とナット１６にて結合される。即ち、継手１２−２ａ，１２−２ｂと１２−６ａ，１２−６ｂとの結合を介して、直線状ブロック２とセンサーブロック６とはその鉄筋が連結され、ブロック２と６の連結強度も上がり、公的な基準にも充分満たすものである。
【００２３】
なお、継手部分は、継手連結後にモルタルにて覆われて、サビの防止が図られるものである。
【００２４】
【発明の効果】
以上のように、請求項１記載の布基礎ブロックによれば、ベース部分と立ち上り部分とは共に鉄筋が埋設されており、該鉄筋にてブロックの強度が向上するものであるし、また、鉄筋に継手が溶接されていることから、相互に接続されるブロックの連結強度が向上するもので、ブロックを用いた布基礎の構築を可能とするものである。
【００２５】
また、布基礎ブロックは、５つのブロックに集約でき、このブロックのみで、設計の通りの布基礎構築用のブロックを提供できる。
【００２６】
さらに、継手は、平板とこれが挿入されるＵ字板とより成り、ボルトとナットにて結合され、結合強度が保たれる。
【００２７】
さらにまた、直線状のブロックが間取りの直線部分に、その他の特殊ブロックが間取りの直線部と直線部とが交わって形成の部分に適宜に配され、しかも全てのブロックを継手にて結合したことで、結合は強固であると共に、容易に布基礎を構築出来るものである。また、継手部分はモルタルに覆われることから、大気と遮断されてさびから保護されるものである。
【図面の簡単な説明】
【図１】  この発明の布基礎用ブロックを用いて構築された布基礎の斜視図である。
【図２】  布基礎用ブロックである直線状のブロックの斜視図である。
【図３】  同上の縦断面図である。
【図４】  同上の鉄筋と継手との関係を示す側方から見た説明図である。
【図５】  同上の鉄筋と継手との関係を示す上方から見た説明図である。
【図６】  ａ，ｂは同上の鉄筋と継手との関係を示す一部拡大説明図である。
【図７】  布基礎用ブロックであるコーナブロックの斜視図である。
【図８】  同上の鉄筋と継手との関係を示す側方から見た説明図である。
【図９】  同上の鉄筋と継手との関係を示す上方から見た説明図である。
【図１０】  ａ，ｂは同上の鉄筋と継手との関係を示す一部拡大説明図である。
【図１１】  布基礎用ブロックであるサイドブロックの斜視図である。
【図１２】  同上の鉄筋と継手との関係を示す側方から見た説明図である。
【図１３】  同上の鉄筋と継手との関係を示す上方から見た説明図である。
【図１４】  布基礎用ブロックであるセンターブロックの斜視図である。
【図１５】  同上の鉄筋と継手との関係を示す側方から見た説明図である。
【図１６】  同上の鉄筋と継手との関係を示す上方から見た説明図である。
【図１７】  布基礎用ブロックである変形ブロックの斜視図である。
【図１８】  同上の鉄筋と継手との関係を示す側方から見た説明図である。
【図１９】  同上の鉄筋と継手との関係を示す上方から見た説明図である。
【図２０】  布基礎用ブロック（５つ）を用いて間取り設計通りに布基礎を構築した平面図である。
【図２１】  センターブロックと直線状のブロックとが連結された状態の平面図である。
【図２２】  同上の側面図である。
【図２３】  同上の継手がボルトとナットにて連結された状態の説明図である。
【符号の説明】
１  布基礎
２  直線状のブロック  ２ａベース部分  ２ｂ立ち上り部分
３  特殊形状のブロック
４  コーナブロック
５  サイドブロック
６  センターブロック
７  変形ブロック
１０−２ａ′，１０−２ａ′′，１０−２ｂ′，１０−２ｂ′′，１０−４ａ′，１０−４ａ′′，１０−４ｂ′，１０−４ｂ′′，１０−５ａ′，１０−５ａ′′，１０−５ｂ′，１０−５ｂ′′，１０−６ａ′，１０−６ａ′′，１０−７ａ′，１０−７ａ′′，１０−７ｂ′，１０−７ｂ′′
鉄筋
１２−２ａ，１２−２ｂ，１２−４ａ，１２−４ｂ，１２−５ａ，１２−５ｂ，１２−６ａ，１２−６ｂ，１２−７ａ，１２−７ｂ，１２−７ａｂ
継手
１５  ボルト
１６  ナット
【図１】
0003769699.tif 000002
【図２】
0003769699.tif 000003
【図３】
0003769699.tif 000004
【図４】
0003769699.tif 000005
【図５】
0003769699.tif 000006
【図６】
0003769699.tif 000007
【図７】
0003769699.tif 000008
【図８】
0003769699.tif 000009
【図９】
0003769699.tif 000010
【図１０】
0003769699.tif 000011
【図１１】
0003769699.tif 000012
【図１２】
0003769699.tif 000013
【図１３】
0003769699.tif 000014
【図１４】
0003769699.tif 000015
【図１５】
0003769699.tif 000016
【図１６】
0003769699.tif 000017
【図１７】
0003769699.tif 000018
【図１８】
0003769699.tif 000019
【図１９】
0003769699.tif 000020
【図２０】
0003769699.tif 000021
【図２１】
0003769699.tif 000022
【図２２】
0003769699.tif 000023
【図２３】
0003769699.tif 000024